(57)【要約】【課題】ズボンのベルト通しに、巻尺や電池式携帯虫よけ等の物品を装着するための装着具を提供する。【解決手段】本装着具は、前記物品に取付けるためのネジ穴２０を配孔した取付け面２と、その上端片側より延出しＵ字状に曲げ返し前記取付け面２と対向するように形成された７字状の保持体３からなり、取付けは、ベルト通し４を取付け面２と保持体３とで挟むように側方から挿入し、ベルト通し４下端のズボン接合部４１に落着させ、取外しは、前記物品を傾け外れ止め手段３３をベルト通し４巾内より外出させ、人体側に前記物品を押し付けながら挿入方向と逆方向へのスライド移動による合同作用によって抜き取る、その合同作用なくして外れない構成とした。【選択図】図１
2014042782.tif 000002
【特許請求の範囲】
【請求項１】
巻尺や電池式携帯虫よけ等の物品に取付け、ベルト通しに装着するための装着具であって、前記物品に取付けるためのネジ穴を配孔した取付け面と、その上端片側より延出しＵ字状に曲げ返され、前記取付け面と対向するように形成された７字状の保持体からなるベルト通し用装着具であって、
前記７字状の保持体は、ベルト通し下端のズボン接合部に落着するよう、ベルト通しの左右の巾よりやや長く延出した係止体と、その係止体の曲返部逆側先端より下方に延出されたベルト通しに側設する支持体と、その支持体下端より内側に延出した外れ止め手段からなることを特徴とするベルト通し用装着具。
【発明の詳細な説明】
【技術分野】
【０００１】本発明は、ベルト通しに巻尺や電池式携帯虫よけ（以後虫よけと称する。）等の物品を装着するための装着具に関するものである。
【背景技術】
【０００２】従来市販の巻尺や虫よけには、ほとんどベルトに装着するためのベルトフックが付いている。しかし、ベルトフックが付いていても前記物品が何かに接触したり、装着者が飛び跳ねたりすると簡単にベルトから外れてしまうという欠点がある。
一方、ベルトを装着していない場合は、ベルトフックが付いていても装着不可能となり、無用の長物となってしまう。
【発明の概要】
【発明が解決しようとする課題】
【０００３】上記欠点を鑑み本発明の課題は、前記物品をベルトに装着するのではなくベルト通しに装着できる、ベルト通し用装着具を作ることである。
【課題を解決するための手段】
【０００４】本発明においては、ベルト通しに落着可能、かつ引き上げ作用では外れぬよう、前記物品に取付ける取付け面と、その取付け面片側上端より延出しＵ字状に曲げ返され、前記取付け面と対向する７字状の保持体からなり、
７字状の保持体は、ベルト通しに落着するベルト通しの左右の巾よりやや長く延出した係止体と、その係止体の曲返部と逆側先端より下方に延出しベルト通しに側設する支持体と、その支持体下端より内側（ベルト通し側に戻るように）に延出した外れ止め手段とからなる構成とした。
【発明の効果】
【０００５】本発明によって、巻尺虫よけ等の物品がベルト通しに簡単に素早く装着できるようになり、作業中の飛び跳ねや前記物品への何かの接触程度では、前記物品が簡単にベルト通しより外れて落下するようなことがなくなる。
一方、ベルトをしていなくても、ベルト通しがあれば前記物品が装着できるようになる。
【図面の簡単な説明】
【０００６】
【図１】  本発明のベルト通し用装着具の実施の形態の１例を示す斜視図である。
【図２】  本発明のベルト通し用装着具の背面斜視図である。
【図３】  本発明のベルト通し用装着具を巻尺に取付けたところの正面図である。
【図４】  本発明におけるベルト通し４に、ベルト通し用装着具１が落着したところの、人体側から見た主要説明正面図である。
【図５】  本発明におけるベルト通し用装着具１を引き上げた状態を示す、人体側から見た主要説明正面図である。
【図６】  本発明におけるベルト通し用装着具１をベルト通し４から外すため、巻尺を傾けたところの、人体側から見た主要説明正面図である。
【図７】  本発明におけるベルト通し用装着具１をベルト通し４から外す途中の状態を示す、人体側から見た主要説明正面図である。
【発明を実施するための形態】
【実施例】
【０００７】本発明におけるベルト通し用装着具について、図面を参照して説明すると、
図１は、ベルト通し４に本発明におけるベルト通し用装着具１を装着しようとするところの人体側より見た説明図であるが、まず構成について説明すると、
本発明におけるベルト通し用装着具１は、図示しない巻尺虫よけ等の物品に取付けるためのビス穴２０を配孔した取付け面２と、その上端片側（図１で見る右側）より延出してＵ字状に曲げ返され、前記取付け面２と対向するように形成された７字状の保持体３とからなる。
７字状の保持体３は、ベルト通し４下端のズボン接合部４１に落着する係止体３１と、その係止体３１の先端（図１で見る左側）より下方に延出し、一定の長さをもつ支持体３２と、その支持体３２下端より内側（図１で見る右側）に延出した外れ止め手段３３から構成されている。【０００８】係止体３１は、その下端がベルト通し４の下端ズボン接合部４１に落着するよう、ベルト通し４の左右の巾よりやや長いものである。【０００９】支持体３２は、係止体３１の先端（図１で見る左側）より下方に延出し、係止体３１の曲返部３４とでベルト通し４を挟みつけるようなものであり、ベルト通し４の上下の長さよりは短いものである。【００１０】外れ止め手段３３は、支持体３２の下端より内側（図１で見る右側）に延出した凸面であり、その外れ止め手段３３の内側先端より曲返部３４の最外部（図１で見る右端）までの水平距離は、ベルト通し４の左右の巾より短く、
曲返部３４の最外部下端から外れ止め手段３３までの最短距離は、ベルト通し４の左右の巾より長いものである。【００１１】次に、使用例について説明する。
装着具１は、ベルト通し４を図示しない前記物品と、そこに取付けた取付け面２がやや段差はあるが一面の壁となり、そこから対向する７字状の保持体３とでベルト通し４を挟むようにして、７字の字の頭の方向へ側方から挿入するもので、そのまま移動していくと、ベルト通し４に曲返部３４が当接する。
この状態で物品を下に移動していくと、はずれ止め手段３３の下部がベルト通し４下端のズボン接合部（縫い目）に当接し、それ以上下に移動できない。
そのため、このズボン接合部４１の下に外れ止め手段３３が移動できるようにするため、前記物品を曲返部３４からみて外れ止め手段３３が上がるような方向（図１で見る右回り）に、前記曲返部３４と外れ止め手段３３が水平になる程度まで回転させる。
ここで、前述（００１０）で説明したように、曲変部３４から外れ止め手段３３までの最短距離は、ベルト通し４の左右の巾よりも長く構成しているので、前記物品が前記回転して傾いた状態のまま下に移動していき、外れ止め手段３３がベルト通し４下端のズボン接合部４１を通過したところで、前記物品から手を離せば自然落下してズボン接合部４１の上に係止体３１が乗るかたちで落着する。（図６参照。）【００１２】また、前記（００１１）の方法以外に物品を回転させず、前記のように物品を曲返部３４の逆方向に移動し、曲返部３４がベルト通し４と当接してからも、ベルト通し４をたわまし縮めるように移動を続け、ベルト通し４巾内を外れ止め手段３３が通過したところで移動をやめ、その状態から物品を下に移動するようにしても、ズボン接合部４１に落着できる。【００１３】以上、ベルト通しへの本設置具の取付けについて説明したが、次に取外しについて説明する。
前記（００１１）で落着した状態（図４参照。）より上に物品を移動していくと図５のように、人体側から見てベルト通し４より係止体３１が前、ハズレ止め手段３３が後ろという状態であるが、そのまま上に移動していけば係止体３１の上端がベルト通し４上端のズボン接合部４２に当接するまではいくが、状態（３１が前、３３が後ろ。）は変わらない。【００１４】この状態で、取付ける場合に挿入した方向と逆方向（図５で見る右方向。）に引いても、当然ながら支持体３２がベルト通し４に引っかかり、ベルトがたわむだけでそれ以上動かない。逆方向への移動は曲返部３４が存在するため不可能である。【００１５】ここで、取外しの説明の途中であるが、先述すると、
上述説明してきたが、この構成により、作業者が作業中に飛び跳ねたり、何かが本装着具の付いた物品に接触しても容易にベルト通しより本装着具は外れることはない。【００１６】ここで、また説明を取外しに戻すと、
（００１４）の係止体３１の上端が、ベルト通し４上端のズボン接合部４２に当接した状態で、今度は取付けた場合と同様に曲返部３４を水平状態から下げるように回転（図５で見る右回転。）させ、外れ止め手段３３がベルト通し巾内から外に出たところで（図６参照。）、本装着具の付いた物品を人体側に押し付けるようにして、外れ止め手段３３をベルト通し４の前（人体側）に振り返し（図７参照。）、取付けるさい挿入した方向と逆方向に引いて抜き取る。【００１７】以上説明してきたように、本装着具は構造が単純であるため取付けが俊敏に行える。しかし、取外す場合は、物品の回転及び物品の人体方向への押し付け、さらにその状態でのスライド移動といった合同作用以外には外れるものではなく、それらの合同作用はほとんど人為的にしか起こせるものではなく、作業中の作業者の飛び跳ね、装着した物品への何らかの接触程度では本装着具はベルト通しより外れない。このことが本装着具の大きな特徴と言える。【００１８】次に、本発明のベルト通し用装着具の巻尺虫よけ等の物品への取付けについて説明する。巻尺等に、ベルトフックが付いているものは、そのフックの厚みの分だけその部分が四角形にへこんだ状態になっていて、ボルト又はビスによって取付けられるようフックにも穴が開けられている。
本装着具の取付け面２も同様にネジ穴２０を配孔したものである。また、前記取付け面２を前記フックの分だけへこんだ四角形に取付ける場合、前記ベルトフックのように、前記取付け面２の断面をその四角形の上部で板面を、その板面の厚みの分だけ折り返した形状とし、前記取付け面２の厚みを前記四角形のへこみの分と同等とすると（市販のフックの付いた巻尺のようにすると。）、前記物品と本装着具の取付け面２が一定平面となり、取付け取外しがよりしやすくなる。【００１９】一方、本装着具においては物品の使用目的状況をふまえ、できるだけ保持体３の係止体３１は取付け面２の上下の長さも長くなるが、上方に配設されるほど安定は良くなる。
物理的には、係止体３１がベルト通し４下端のズボン接合部４１にぶら下がり状態となるため、係止体３１が重心より上がれば上がるほど、いろいろな衝撃に対しても外れにくくなる。【００２０】以上、巻尺等元々ベルトフックが付いている物品への取付けについて説明してきたが、
虫よけ等、ただの一平面に取付けるためには、ボルト穴の配孔もしくはビスの圧入によらなければならないが、その場合、本装着具の取付け面のネジ穴を複数配孔してもよい。【００２１】また、物品が合成樹脂製であれば本装着具も合成樹脂製とし、接着剤で取付けるようにしても同様な効果が得られる。
製造段階で物品と本装着具を一体で製造する場合は、取付け面を省いた保持体のみその物品に付け足した形のものでよい。【００２２】以上ここまで、取付け面２と保持体３は板状のものとして説明してきたが、
取付け面２は上記同様に板状であって、そこに取付ける保持体３はワイヤー等で外れ止め手段３３をループ状にした線形構造のものとしても同様な効果が得られる。【００２４】ここで、前記（００１０）のところで、曲返部３４の最外部下端から外れ止め手段３３までの最短距離は、ベルト通し４の左右の巾より長いものとしたが、（００１２）のようにベルト通しの巾をたわまし縮めるようにすれば、本装着具の脱着は可能であり、前記最短距離がベルト通しの左右の巾より短くても問題はない。
その場合、ただ取付け取外しはその分面倒となるが、逆にベルト通しよりよけいに外れにくくなり、作業目的にもよるが、高所作業等では有効な手段となる。【００２４】また、前記（０００９）のところで、支持体３２はベルト通し４の上下の長さより短いものと記したが、図６のように最初から物品を傾けてベルト通し４に挿入するものとすれば、その限りではない。
【符号の説明】
【００２５】１、      ベルト通し用装着具
２、      取付け面
２０、    ネジ穴
３、      保持体
３１、    係止体
３２、    支持体
３３、    外れ止め手段
３４、    曲返部
４、      ベルト通し
４１、    ズボン接合部
４２、    ズボン接合部
５、      巻尺
【図１】
2014042782.tif 000003
【図２】
2014042782.tif 000004
【図３】
2014042782.tif 000005
【図４】
2014042782.tif 000006
【図５】
2014042782.tif 000007
【図６】
2014042782.tif 000008
【図７】
2014042782.tif 000009